(57)【特許請求の範囲】
【請求項１】
医療用スタンドと、該医療用スタンドの前後方向に配置される患者利用器具とを連結する連結器具であって、
棒状部と、
前記医療用スタンドの左右方向である側方に固定され、前記棒状部に前記前後方向に回転自在に連結される固定部と、
前記棒状部の先端に設けられ、該棒状部を前記医療用スタンドに沿って起立させた状態における前記左右方向のうち該医療用スタンドに近づく方向に突出するとともに、前記医療用スタンドと前記患者利用器具とにそれぞれ連結可能な連結部とを備え、
前記固定部と前記棒状部との間には、前記固定部と前記棒状部とを隙間なく固定する固定状態と、前記固定部を前記医療用スタンドに固定したまま前記棒状部を前記左右方向のうち前記医療用スタンドから離れる方向に傾けて離隔する離隔状態とに切換自在な切換機構が設けられる
ことを特徴とする連結器具。
【請求項２】
請求項１に記載の連結器具であって、
前記切換機構は、弾性部材からなり、該弾性部材を変形させることにより、前記棒状部を前記左右方向のうち前記医療用スタンドから離れる方向に傾けて離隔する離隔状態にすることを特徴とする連結器具。
【発明の詳細な説明】
【技術分野】
【０００１】
本発明は、車椅子などの患者利用器具と医療用スタンドとを連結する連結器具に関する。
【背景技術】
【０００２】
従来、車椅子などの患者利用器具と医療用スタンドとを連結する連結器具が知られている（例えば、特許文献１，２参照）。特許文献１の連結器具は、自由に屈曲可能な屈曲部を備えている。これにより、屈曲部を自由に曲げて連結器具により患者利用器具と医療用スタンドとを連結し易くしている。特許文献２の連結器具は、車椅子に固定され、異なる医療用スタンドに連結可能に構成されている。
【先行技術文献】
【特許文献】
【０００３】
【特許文献１】特開２０１４−６８９０８号公報
【特許文献２】特開２００９−１４２４０７号公報
【発明の概要】
【発明が解決しようとする課題】
【０００４】
特許文献１の連結器具では、屈曲部が自由に屈曲可能であるため、車椅子やベッド、ストレッチャなどの患者利用器具が移動したときに意図せずに屈曲してしまう可能性があり、患者利用器具への医療用スタンドの追従性に問題がある。
【０００５】
特許文献２の連結器具は、車椅子に固定されるものであるが、医療用スタンドは常に連結される側のものであり、入れ替わるのは車椅子やベッド、ストレッチャなどの患者利用器具側であるので、本来医療用スタンド側に固定することが望まれる。しかしながら、医療用スタンドは、支柱にキャスタがついているだけの構成であるため、大型の連結器具を固定すると邪魔となる。
【０００６】
本発明は、以上の点に鑑み、医療用スタンドに固定しても邪魔にならず、使い勝手の良い連結器具を提供することを目的とする。
【課題を解決するための手段】
【０００７】
［１］上記目的を達成するため、本発明は、
患者利用器具と医療用スタンドとを連結する連結器具であって、
前記医療用スタンドに固定される固定部と、
該固定部に回転自在に連結される棒状部と、
前記棒状部の先端に設けられ、前記患者利用器具に連結可能な連結部とを備え、
前記固定部と前記棒状部との間には、前記固定部と前記棒状部とを隙間なく固定する固定状態と、前記棒状部を前記医療用スタンドから離すように離隔する離隔状態とに切換自在な切換機構が設けられることを特徴とする。
【０００８】
本発明によれば、連結部を患者利用器具から取り外した後、棒状部を固定部に対して回転させながら切換機構を離隔状態とすることにより、連結部を医療用スタンドに連結させることができる。これにより、連結器具をコンパクトに医療用スタンドに固定することができる。
【０００９】
［２］また、本発明においては、切換機構を弾性部材で構成し、弾性部材を変形させることにより、棒状部を医療用スタンドから離すように離隔する離隔状態にすることができる。
【００１０】
［３］また、本発明においては、固定部を棒状部にボルトとナットとで固定し、切換機構は、ボルトが挿通されてスライド自在なスライド孔と、棒状部のボルトとナットとで狭持される部分に設けられた棒状部の肉厚の薄い肉薄部及び棒状部の肉厚の厚い肉厚部とで構成され、ボルトとナットとが棒状部の肉厚の薄い肉薄部にスライドすることにより、離隔状態に切り換えられ、ボルトとナットとが棒状部の肉厚の厚い肉厚部にスライドすることにより、固定状態に切り換えられるように構成することができる。
【図面の簡単な説明】
【００１１】
【図１】本発明の連結器具の第１実施形態を示す斜視図。
【図２】第１実施形態の連結部を医療用スタンドに連結させた状態を示す斜視図。
【図３】第１実施形態の連結部を一部断面で示す説明図。
【図４】第１実施形態の固定部を一部断面で示す説明図。
【図５】第１実施形態の固定部を拡大して示す斜視図。
【図６】第１実施形態の連結部を医療用スタンドに連結させる過程を示す平面図。
【図７】第１実施形態の切換機構の離隔状態を示す説明図。
【図８】本発明の連結器具の第２実施形態を示す斜視図。
【図９】第２実施形態の棒状部の肉厚部と肉薄部を示す斜視図。
【図１０】第２実施形態の棒状部の固定部が取り付けられる部分を拡大して示す斜視図。
【図１１】図１０の裏側を示す斜視図。
【図１２】第２実施形態の切換機構の固定状態を示す斜視図。
【図１３】本発明の連結器具の第３実施形態を示す斜視図。
【発明を実施するための形態】
【００１２】
［第１実施形態］
図１に示すように、本発明の第１実施形態の連結器具１は、輸液スタンドなどの医療用スタンド２と患者利用器具としての車椅子３とを連結するものである。医療用スタンド２は、輸液バッグ等を支える支柱２ａを備える。連結器具１は、医療用スタンド２に固定されるクランプからなる固定部４と、一方の端部（一方端部）が固定部４と回転自在に接続されて板棒状に延びる棒状部５と、棒状部５の他方の端部（他方端部、先端）に設けられたクランプからなる連結部６とを備える。棒状部５の一方端部には、挿通孔５ａが設けられる。クランプからなる連結部６は車椅子３に連結される。これにより、図１に示すように、連結器具１によって、医療用スタンド２と車椅子３が連結される。
【００１３】
図２に示すように、連結器具１は、連結を必要としない場合には、連結部６を医療用スタンド２に連結することにより、医療用スタンド２にコンパクトに装着することができる。
【００１４】
図３に示すように、クランプからなる連結部６は、連結側爪部７ａと、連結側爪部７ａに車椅子３などの連結部分を押し付ける連結側押付ボルト７ｂと、連結側爪部７ａに対向して配置されて連結側押付ボルト７ｂと螺合する雌ネジ孔７ｃが切られたボルト螺合部７ｄとを備える。連結部６は、他方端側ボルト８ａと他方端側ナット８ｂとで棒状部５に固定される。
【００１５】
図４に示すように、クランプからなる固定部４は、連結部６と同様に、固定側爪部９ａと、固定側爪部９ａに医療用スタンド２の支柱２ａなどの連結部分を押し付ける固定側押付ボルト９ｂと、固定側爪部９ａに対向して配置されて固定側押付ボルト９ｂと螺合する雌ネジ孔９ｃが切られたボルト螺合部９ｄとを備える。固定部４は、一方端側ボルト１０ａと一方端側ナット１０ｂとで棒状部５に固定される。
【００１６】
一方端側ボルト１０ａは、一方端側頭部１０ｃを備える。一方端側ボルト１０ａは、一方端側ボルト１０ａの雄ネジ部の径よりも大きい径の挿通孔５ａに挿通されている。一方端側ナット１０ｂと棒状部５との間には、ゴムからなる弾性部材１１が設けられている。また、固定部４には、回転用ボルト１２ａと回転用ナット１２ｂとが設けられている。
【００１７】
図５に示すように、棒状部５の一方端部には、一方端側ボルト１０ａが挿通される挿通孔５ａを中心として略Ｃ字状に切り抜かれた回転用切欠部１３が設けられている。回転用切欠部１３には、回転用ボルト１２ａが挿通される。固定部４と棒状部５を接続する一方端側ボルト１０ａは大径の挿通孔５ａに挿通され、一方端側ナット１０ｂと棒状部５との間には弾性部材１１が設けられているため、このままでは、棒状部５は固定部４に対して自由に回動することができる。しかしながら、回転用切欠部１３に挿通された回転用ボルト１２ａと回転用ナット１２ｂとを締め付けることにより、固定部４に対する棒状部５の回動を制限することができる。
【００１８】
連結器具１を図１の状態から図２の状態に移行すべく、連結部６を車椅子３から取り外して、回転用ボルト１２ａと回転用ナット１２ｂとによる締め付けを解除し、棒状部５を固定部４に対して回動させると、図６に示すように、連結部６が医療用スタンド２の支柱２ａに衝突してしまい。連結部６を医療用スタンド２の支柱２ａに連結させることができない。
【００１９】
この問題を解決すべく、第１実施形態の連結器具１では、一方端側ナット１０ｂと棒状部５との間に、弾性部材１１が設けられている。これにより、図７に示すように、固定部４が固定される支柱２ａ（図７では省略）に対して弾性部材１１を押し潰すように圧縮変形させながら棒状部５を傾けて、棒状部５を医療用スタンド２の支柱２ａから離すように離隔させた離隔状態とすることができる。これにより、棒状部５を回動中に連結部６が支柱２ａに衝突することを防止し、連結部６を支柱２ａに連結して図２に示す状態に移行することができる。第１実施形態においては、弾性部材１１、回転用ボルト１２ａ、回転用ナット１２ｂで、本発明の切換機構が構成される。
【００２０】
図２の状態に移行した後は、回転用ボルト１２ａと回転用ナット１２ｂとを締め付けることにより、固定部４に対する棒状部５の回動を制限することができ、また、離隔状態に移行することも阻止することができる。第１実施形態においては、回転用ボルト１２ａと回転用ナット１２ｂとを締め付けた状態が固定部４と棒状部５とが隙間なく固定された固定状態に該当する。
【００２１】
第１実施形態の連結器具１によれば、連結部６を患者利用器具としての車椅子３から取り外した後、棒状部５を固定部４に対して回転させながら切換機構としての弾性部材１１を圧縮変形して固定部４と棒状部５とが傾斜して離隔する離隔状態とすることにより、連結部６を医療用スタンド２の支柱２ａに衝突させることなく支柱２ａに連結させて図１の状態から図２の状態に移行することができる。これにより、連結器具１をコンパクトに医療用スタンド２に固定することができ、車椅子３と連結していない状態でも、連結器具１が邪魔になることなく、連結器具１を簡易な構成で使い勝手の良いものとすることができる。
【００２２】
なお、第１実施形態においては、患者利用器具として車椅子３を用いて説明した。しかしながら、本発明の患者利用器具は車椅子に限られず、患者が利用する他の器具であってもよい。例えば、患者利用器具は、ベッドやストレッチャであってもよい。
【００２３】
［第２実施形態］
次に図８から図１２を参照して第２実施形態の連結器具１を説明する。なお、第１実施形態の連結器具１と同一の構成については、同一の符号を付して説明を省略する。第２実施形態の連結器具１は、第１実施形態のものと比較して切換機構が異なる以外は同一に構成される。
【００２４】
図８に示すように、第２実施形態の連結器具１の棒状部５には、段部１４が設けられている。図１０では、固定部４を省略した状態で、棒状部５の一方端部のみ示している。段部１４は、図１に示すように連結器具１で医療用スタンド２と車椅子３とが連結されている状態、即ち、支柱２ａと棒状部５との長手方向が互いに交差する状態において、固定部４の連結部６側の端部が係止されるように構成されている。
【００２５】
図９に示すように、棒状部５には、長手方向に延びるスライド孔５ｂが設けられている。また、スライド孔５ｂに合わせて一方端側ナット１０ｂを受け入れる様に穿設された第１と第２の２つのナット受入穴１５ａ，１５ｂが設けられている。図１１に示すように、第１ナット受入穴１５ａは一方端側ナット１０ｂの厚さと同程度の浅い穴であり、第２ナット受入穴１５ｂは、第１ナット受入穴１５ａよりも深い穴に形成されている。
【００２６】
図８に示すように、一方端側ナット１０ｂが第１ナット受入穴１５ａに位置しているときには、一方端側ボルト１０ａの一方端側頭部１０ｃの座面と一方端側ナット１０ｂの座面との間の間隔が棒状部５の第１ナット受入穴１５ａの部分の板厚と同一となっており、棒状部５が固定部４から離れることができない固定状態となる。図８の状態から、図１２に示すように、棒状部５を固定部４に対して回動させると、段部１４による係止が解除される。固定部４の本体部分４ａは長方形状であり、回動により本体部分４ａの長手方向と棒状部５の長手方向とが平行な状態から交差する状態に切り換わるためである。これにより、図１２の状態から、固定部４を棒状部５のスライド孔５ｂに沿って長手方向にスライドさせることができる。第２実施形態においては、段部１４が固定部４（固定部４を基準に見れば、棒状部５）のスライドを阻止するスライド阻止部として機能する。
【００２７】
これにより、一方端側ボルト１０ａ及び一方端側ナット１０ｂを第２ナット受入穴１５ｂに位置させることができる。棒状部５の第２ナット受入穴１５ｂの部分の板厚は、一方端側ボルト１０ａの一方端側頭部１０ｃの座面と一方端側ナット１０ｂの座面との間の間隔よりも薄くなっている。このため、第１実施形態の図７で説明したように、棒状部５の他方端部を医療用スタンド２の支柱２ａから離隔させて傾斜させた離隔状態とすることができる。第２実施形態においては、スライド孔５ｂと第２ナット受入穴１５ｂとで本発明の切換機構が構成されている。また、棒状部５の第１ナット受入穴１５ａの部分が本発明のボルトとナットとで狭持される肉厚の厚い肉厚部、棒状部５の第２ナット受入穴１５ｂの部分が本発明のボルトとナットとで狭持される肉厚の薄い肉薄部に該当する。
【００２８】
第２実施形態の連結器具１によっても、連結部６を患者利用器具としての車椅子３から取り外した後、棒状部５を固定部４に対して回転させてスライド孔５ｂに沿ってスライドさせて固定部４と棒状部５とが傾斜して離隔する離隔状態とすることにより、連結部６を医療用スタンド２の支柱２ａに衝突させることなく支柱２ａに連結させて、第１実施形態で示した図１の状態から図２の状態へ移行するように、状態を移行させることができる。これにより、連結器具１をコンパクトに医療用スタンド２に固定することができ、車椅子３と連結していない状態でも、連結器具１が邪魔になることなく、連結器具１を簡易な構成で使い勝手の良いものとすることができる。
【００２９】
また、第２実施形態の連結器具１は、医療用スタンド２と車椅子３とを連結している状態ではスライド阻止部としての段部１４が固定部４の本体部分４ａを係止してスライドを阻止する。このため、医療用スタンド２と車椅子３とを連結している状態で固定部４のスライドにより連結器具１が伸縮することを防止でき、医療用スタンド２と車椅子３との間の追従性を良好に保つことができる。
【００３０】
なお、第２実施形態においても、患者利用器具として車椅子３を用いて説明した。しかしながら、本発明の患者利用器具は車椅子に限られず、患者が利用する他の器具であってもよい。例えば、患者利用器具は、ベッドやストレッチャであってもよい。
【００３１】
また、切換機構を構成する第１ナット受入穴１５ａは、一方端側ナット１０ｂが棒状部５から突出することとなるが省略してもよい。この場合、棒状部５の厚さを、一方端側ボルト１０ａの一方端側頭部１０ｃの座面と一方端側ナット１０ｂの座面との間の間隔と同一に設定すればよい。
【００３２】
［第３実施形態］
図１３を参照して、第３実施形態の連結器具１を説明する。第３実施形態の連結器具１は、第２実施形態の段部１４に代えて、２つのピン１６でスライド阻止部を構成した点を除き、全て第２実施形態と同一の構成である。
【００３３】
第３実施形態の連結器具１によっても、第２実施形態のものと同様に、連結部６を患者利用器具としての車椅子３から取り外した後、棒状部５を固定部４に対して回転させてスライド孔５ｂに沿ってスライドさせて固定部４と棒状部５とが傾斜して離隔する離隔状態とすることにより、連結部６を医療用スタンド２の支柱２ａに衝突させることなく支柱２ａに連結させて、第１実施形態で示した図１の状態から図２の状態へ移行するように、状態を移行させることができる。これにより、連結器具１をコンパクトに医療用スタンド２に固定することができ、車椅子３と連結していない状態でも、連結器具１が邪魔になることなく、連結器具１を簡易な構成で使い勝手の良いものとすることができる。
【００３４】
また、第３実施形態の連結器具１も、医療用スタンド２と車椅子３とを連結している状態ではスライド阻止部としてのピン１６が固定部４の本体部分４ａを係止してスライドを阻止する。このため、医療用スタンド２と車椅子３とを連結している状態で固定部４のスライドにより連結器具１が伸縮することを防止でき、医療用スタンド２と車椅子３との間の追従性を良好に保つことができる。
【００３５】
なお、第３実施形態においても、患者利用器具は車椅子に限られず、患者が利用する他の器具であってもよい。例えば、患者利用器具は、ベッドやストレッチャであってもよい。
【００３６】
また、切換機構を構成する第１ナット受入穴１５ａは、一方端側ナット１０ｂが棒状部５から突出することとなるが省略してもよい。この場合、棒状部５の厚さを、一方端側ボルト１０ａの一方端側頭部１０ｃの座面と一方端側ナット１０ｂの座面との間の間隔と同一に設定すればよい。
【符号の説明】
【００３７】
１  連結器具
２  医療用スタンド
２ａ  支柱
３  車椅子（患者利用器具）
４  固定部
４ａ  本体部分
５  棒状部
５ａ  挿通孔
５ｂ  スライド孔（第２実施形態の切換機構）
６  連結部
７ａ  連結側爪部
７ｂ  連結側押付ボルト
７ｃ  雌ネジ孔
７ｄ  ボルト螺合部
８ａ  他方端側ボルト
８ｂ  他方端側ナット
９ａ  固定側爪部
９ｂ  固定側押付ボルト
９ｃ  雌ネジ孔
９ｄ  ボルト螺合部
１０ａ  一方端側ボルト
１０ｂ  一方端側ナット
１０ｃ  一方端側頭部
１１  弾性部材（第１実施形態の切換機構）
１２ａ  回転用ボルト（第１実施形態の切換機構）
１２ｂ  回転用ナット（第１実施形態の切換機構）
１３  回転用切欠部
１４  段部（第２実施形態のスライド阻止部）
１５ａ  第１ナット受入穴（肉厚部）
１５ｂ  第２ナット受入穴（肉薄部、第２実施形態の切換機構）
１６  ピン（第３実施形態のスライド阻止部）
【図１】
0006367654.tif 000002
【図２】
0006367654.tif 000003
【図３】
0006367654.tif 000004
【図４】
0006367654.tif 000005
【図５】
0006367654.tif 000006
【図６】
0006367654.tif 000007
【図７】
0006367654.tif 000008
【図８】
0006367654.tif 000009
【図９】
0006367654.tif 000010
【図１０】
0006367654.tif 000011
【図１１】
0006367654.tif 000012
【図１２】
0006367654.tif 000013
【図１３】
0006367654.tif 000014